(57)【要約】【課題】  液化ガスを貯蔵するタンクの内槽と外槽との間の断熱床構造において、輻射伝熱及び伝導伝熱を低減し、断熱性能を向上させるとともに強度を向上させる断熱床構造を提示すること。【解決手段】  基台上に設けられた外槽の底板と外槽の内側に真空保冷層を介して設けられた内槽の底板との間に形成される断熱床構造であって、外槽の底板と内槽の底板との間の真空保冷層に鉛直に配置される格子断面形状、もしくは円管断面形状の側壁と、側壁内に隙間なく水平に設けられる熱輻射シールドと、を備える。【選択図】図２
2020029873.tif 000002
【特許請求の範囲】
【請求項１】
基台上に設けられた外槽の底板と該外槽の内側に真空保冷層を介して設けられた内槽の底板との間に形成される断熱床構造であって、
前記外槽の底板と前記内槽の底板との間の真空保冷層に鉛直に配置される格子断面形状もしくは円管断面形状の側壁と、
前記側壁内に設けられる熱輻射シールドと
を備えたことを特徴とする断熱床構造。
【請求項２】
前記格子断面形状は、正六角形状、矩形形状、ひし形形状、平行四辺形状、三角形状のうちの少なくともいずれか１つを含むことを特徴とする請求項１に記載の断熱床構造。
【請求項３】
前記側壁は低熱伝導率材からなることを特徴とする請求項１または２に記載の断熱床構造。
【請求項４】
前記側壁の前記低熱伝導率材には、繊維強化プラスチック、繊維強化プラスチック及びセラミック、繊維強化プラスチック及び樹脂、のうちの少なくともいずれか１つが用いられることを特徴とする請求項１から３のうちいずれか１項に記載の断熱床構造。
【請求項５】
前記側壁の内面は、低輻射性の断熱シート、もしくは低輻射性の断熱シートとスペーサ材とからなる多層断熱材、の少なくともいずれか１つで被覆されていることを特徴とする請求項１から４のうちいずれか１項に記載の断熱床構造。
【請求項６】
前記熱輻射シールドは、前記側壁内に略隙間なく略水平に少なくとも１層設けられることを特徴とする請求項１から５のうちいずれか１項に記載の断熱床構造。
【請求項７】
前記熱輻射シールドには、低輻射性の磨いた金属板、低輻射性の断熱シートで被覆された樹脂板、低輻射性の断熱シートとスペーサ材とからなる多層断熱材が設置された網状板、の少なくともいずれか１つが用いられることを特徴とする請求項１から６のうちいずれか１項に記載の断熱床構造。
【請求項８】
前記側壁の略上下端には前記側壁の面外座屈を防止するための構造体が設置されたことを特徴とする請求項１から７のうちいずれか１項に記載の断熱床構造。
【請求項９】
前記構造体には、繊維強化プラスチック板、内面を磨き低輻射化した金属板、内面が低輻射性の断熱シートで被覆された繊維強化プラスチック板、内面に断熱シートとスペーサ材とからなる多層断熱材が設置された繊維強化プラスチック板、の少なくともいずれか１つが用いられることを特徴とする請求項８に記載の断熱床構造。
【請求項１０】
前記側壁の略上下端と前記構造体とは接着剤で固定されていることを特徴とする請求項８または９に記載の断熱床構造。
【請求項１１】
前記断熱シートとして、金属を蒸着したフィルムもしくは金属箔のいずれか１つが用いられることを特徴とする請求項５，７または９に記載の断熱床構造。
【請求項１２】
前記スペーサ材として、ガラス繊維製の布、紙製の布、もしくはポリエステル製の布、の少なくともいずれか１つが用いられることを特徴とする請求項５，７または９に記載の断熱床構造。
【発明の詳細な説明】
【技術分野】
【０００１】
本発明は、たとえば断熱床構造に係り、特に液化ガスを貯蔵する極低温タンクの内槽と外槽との間の断熱床構造に関する。
【背景技術】
【０００２】
図１は、一般的な極低温タンクの正面部分断面図である。液体水素等を貯留する極低温タンクとしては、図１に示すような内部に極低温液を実質的に貯留する内槽１と、所定の厚さの真空保冷層を挟んでこれを取り囲む外槽２とから形成される二重殻構造の極低温タンク１０が知られている。
【０００３】
この種の極低温タンク１０は、円筒体状のものが多く、代表的な浮床式タンクは、屋根が球面状に形成され、地中に埋設された杭上に地上より所定の間隔を隔ててコンクリート製の基台３が設けられ、基台３の上に、底部構造５が設けられ、この底部構造５の上に内槽１が着座され荷重支持されており、内槽１の外周部に、これを覆って所定厚さの保冷層を形成すべく外槽２が設けられたものである。
【０００４】
ところで、円筒体状タンクは、内槽１を支持する底部構造５が熱伝導率の大きい泡ガラスにより面的に荷重支持する構成を採用しているため、伝導伝熱面積が増し保冷能力が低減するおそれがある。
【０００５】
そこで、このような保冷能力の低減を抑える提案がなされた（例えば、特許文献１参照。）。
【０００６】
特許文献１に記載の発明は、内槽と外槽との間に所定厚さの真空保冷層を形成し、内槽内に液化水素等の極低温液を貯留する極低温タンクにおいて、地上に形成された基台と、基台上に設けられ、表面がアルミ蒸着された硬質合成樹脂板材を横断面ハニカム状或いは格子状に組み立てて形成された所定の高さを有する支持台と、支持台上に底板が熱収縮自在に着座された内槽と、内槽の外周部にこれを覆って所定厚さの真空保冷層を形成すべく設けられた外槽とを備えたものである。
【先行技術文献】
【特許文献】
【０００７】
【特許文献１】特開平７−１３９６９９号公報
【発明の概要】
【発明が解決しようとする課題】
【０００８】
しかしながら、特許文献１に記載の発明は、基台から内槽への輻射熱について硬質合成樹脂板材に貼り付けられたアルミ蒸着層で反射することで減衰するようにしているものの、基台から内槽へ直接到達する輻射熱については何ら考慮されていない。また、複数層の硬質合成樹脂板材が点接触する点での応力の集中による強度の低下については考慮されていない。
【０００９】
本願はこのような問題点を解決することを企図したものであり、特に液化ガスを貯蔵するタンクの内槽と外槽との間の断熱床構造において、輻射伝熱及び伝導伝熱を低減し、断熱性能を向上させるとともに強度を向上させる断熱床構造の技術思想の提示を目指すものである。
【課題を解決するための手段】
【００１０】
かかる課題を解決するため、本願の第１の態様に係る断熱床構造は、基台上に設けられた外槽の底板と該外槽の内側に真空保冷層を介して設けられた内槽の底板との間に形成される断熱床構造であって、上記外槽の底板と上記内槽の底板との間の真空保冷層に鉛直に配置される格子断面形状もしくは円管断面形状の側壁と、上記側壁内に設けられる熱輻射シールドとを備えたことを特徴とする。
【００１１】
本願の第２の態様は、第１の態様において、上記格子断面形状は、正六角形状、矩形形状、ひし形形状、平行四辺形状、もしくは三角形状のうちの少なくともいずれか１つを含むことを特徴とする。
【００１２】
本願の第３の態様は、第１もしくは第２の態様において、上記側壁は低熱伝導率材からなることを特徴とする。
【００１３】
本願の第４の態様は、第３の態様において、上記側壁の上記低熱伝導率材には、繊維強化プラスチック、繊維強化プラスチック及びセラミック、繊維強化プラスチック及び樹脂、のうちの少なくともいずれか１つが用いられることを特徴とする。
【００１４】
すなわち、上記側壁に、金属やコンクリートに比べ熱伝導率が低い上記繊維強化プラスチックを用いることで伝導伝熱の低減を図ることができる。さらに、上記繊維強化プラスチックからなる上記側壁の略同一高さ位置に上記繊維強化プラスチックから独立させて、セラミックもしくは樹脂を上記繊維強化プラスチック間に積み重ねることで、上記繊維強化プラスチック断面内の伝導熱の流れを切断し、接触熱抵抗を生じさせることができるため、伝導伝熱の低減を図ることができる。
【００１５】
本願の第５の態様は、第１〜第４の態様のいずれかにおいて、上記側壁の内面は、低輻射性の断熱シート、もしくは低輻射性の断熱シートとスペーサ材とからなる多層断熱材、の少なくともいずれか１つで被覆されていることを特徴とする。
【００１６】
本願の第６の態様は、第１〜第５の態様のいずれかにおいて、上記熱輻射シールドは、上記側壁内に略隙間なく略水平に少なくとも１層設けられることを特徴とする。
【００１７】
すなわち、上記熱輻射シールドを略隙間なく略水平に少なくとも１層設けることで、高温側となる上記外槽の底板から低温側となる上記内槽の底板が見えなくなり、上記内槽の底板への輻射伝熱を低減することができる。さらに、高温側となる上記外槽の底板から、低温側となる側壁上部が見えなくなり、上記外槽底板から上記側壁上部への輻射伝熱が低減することから、側壁断面内の伝導伝熱量を低減することができる。
【００１８】
本願の第７の態様は、第１〜第６の態様のいずれかにおいて、上記熱輻射シールドとして、低輻射性の磨いた金属板、低輻射性の断熱シートで被覆された樹脂板、低輻射性の断熱シートとスペーサ材とからなる多層断熱材が設置された網状板、の少なくともいずれか１つが用いられることを特徴とする。
【００１９】
ここで、低輻射性の磨いた金属板としては特に鏡面仕上げのアルミニウム板が好ましい。
【００２０】
本願の第８の態様は、第１〜第７の態様のいずれかにおいて、上記側壁の略上下端には上記側壁の面外座屈防止用の構造体が設置されたことを特徴とする。
【００２１】
本願の第９の態様は、第８の態様において、上記構造体として、繊維強化プラスチック板、内面を磨き低輻射化した金属板、内面が低輻射性の断熱シートで被覆された繊維強化プラスチック板、内面に断熱シートとスペーサ材とからなる多層断熱材が設置された繊維強化プラスチック板、の少なくともいずれか１つが用いられたことを特徴とする。
【００２２】
本願の第１０の態様は、第８もしくは第９の態様において、上記側壁の略上下端と上記構造体とは接着剤で固定されていることを特徴とする。
【００２３】
本願の第１１の態様は、第５、第７、第９の態様のいずれかにおいて、上記断熱シートとして、金属を蒸着したフィルムもしくは金属箔のいずれか１つが用いられることを特徴とする。
【００２４】
本願の第１２の態様は、第５、第７、第９の態様のいずれかにおいて、上記スペーサ材は、ガラス繊維製の布、紙製の布、もしくはポリエステル製の布、の少なくともいずれか１つが用いられることを特徴とする。
【発明の効果】
【００２５】
本発明の一態様に係る断熱床構造は、側壁に低熱伝導率材を用いることで伝導伝熱を低減することができることに加え、各側壁内に略水平に配置される少なくとも１枚の熱輻射シールドを備えているため、高温側となる外槽の底板から低温側となる内槽の底板が見えなくなり、内槽の底板への輻射伝熱を低減することができる。
【００２６】
さらに、高温側となる外槽の底板から、低温側となる側壁上部が見えなくなり、外槽の底板から側壁上部への輻射伝熱が低減することから、側壁断面内の伝導伝熱量を低減することができる。熱輻射シールドが複数ある場合には、その分だけ輻射伝熱量が減少し、効果的に輻射伝熱量及び側壁断面内の伝導伝熱量を低減することができる。
【００２７】
また、本発明の一態様に係る断熱床構造は、各側壁が外槽と内槽との間の真空保冷層に設けられ、従来のような点接触ではなく線接触するので、応力の一点集中を防ぐことができ、強度が確保される。
【００２８】
さらに、側壁の略上下端に板状の構造体を設置することで、側壁の面外座屈を防ぎ、座屈強度を向上させることができる。
【００２９】
尚、熱輻射シールドは、輻射伝熱防止用の部材であり、側壁の略上下端に設置される板状の構造体は、側壁面外座屈防止用の部材であり、板状の構造体は接着剤で側壁に固定するのが好ましい。
【図面の簡単な説明】
【００３０】
【図１】一般的な極低温タンクの正面部分断面図である。
【図２】本発明の一実施形態に係る断熱床構造の外観斜視部分断面図の一例である。
【図３】図２に示した断熱床構造の側壁で囲まれた空間内に設けられた熱輻射シールドの説明図である。
【図４】図２に示した断熱床構造の側壁の部分平面図の一例である。
【図５】図４に示した側壁の５−５線断面図である。
【図６】本発明の前提となった断熱床構造５−１の外観斜視部分断面図である。
【図７Ａ】図６に示した断熱床構造の平面図である。
【図７Ｂ】図７Ａの７Ｂ−７Ｂ線断面図である。
【発明を実施するための形態】
【００３１】
以下、図面を参照して本発明を実施するための形態について説明する。
【００３２】
＜構成＞
図２は、本発明の一実施形態に係る断熱床構造の外観斜視部分断面図の一例であり、図３は、図２に示した断熱床構造の側壁で囲まれた空間内に設けられた熱輻射シールドの説明図である。
【００３３】
図２に示す断熱床構造５−２は、基台上に設けられた外槽２の底板５−２ｄと、外槽２の内側に真空保冷層を介して設けられた内槽１の底板５−２ａとの間に形成された断熱床構造であって、底板５−２ｄと底板５−２ａとの間の真空保冷層に鉛直に配置された格子断面形状としての多数の正六角断面形状の側壁５−２ｂと、各側壁５−２ｂ内に略隙間なく略水平に設けられる少なくとも１枚の熱輻射シールド５−２ｅと、を有して構成される。
【００３４】
側壁５−２ｂは、低熱伝導率材であるＦＲＰ（繊維強化プラスチック）からなるのが好ましい。より好適には、繊維強化プラスチックからなる側壁５−２ｂの略同一高さ位置に上記繊維強化プラスチックから独立させて、セラミックもしくは樹脂を繊維強化プラスチック間に積み重ねて、繊維強化プラスチック断面内の伝導熱の流れを切断し、接触熱抵抗を生じさせて、伝導伝熱の低減を図ることが好ましい。
【００３５】
また、側壁５−２ｂの内面は、低輻射性の金属蒸着フィルム、もしくは低輻射性の金属蒸着フィルムと不織布とからなる多層断熱材、の少なくともいずれかで被覆するのが好ましい。
【００３６】
熱輻射シールドは、低輻射性の磨いた金属板、低輻射性の断熱シートで被覆された樹脂板、低輻射性の断熱シートとスペーサ材とからなる多層断熱材が設置された網状板、の少なくともいずれか１つとするのが好ましい。
【００３７】
ここで、低輻射性の磨いた金属板としては特に鏡面仕上げのアルミニウム板を用いることが好ましい。
【００３８】
側壁５−２ｂの高さとしての断熱高さＨｄ及び側壁で囲まれた空間の外径としてのピッチＤｇについてはノウハウがあるとされる。
【００３９】
図３に示すように熱輻射シールド５−２ｅは、側壁５−２ｂ内に略隙間なく略水平に設けられる。熱輻射シールド５−２ｅは図では９枚であるが、本発明はこれに限定されるものではなく、少なくとも１枚あればよい。
【００４０】
格子断面形状の側壁５−２ｂには、好適には、略上下端に構造体５−２ａｃ、５−２ｄｃを設置する。これは、側壁５−２ｂの面外座屈に対する拘束を高める効果があり、構造体５−２ａｃ、５−２ｄｃが無い場合に比べ、座屈強度が増加する。このことにより、板厚がより薄くなり、伝熱面積を減少させることができる。
【００４１】
図４は、図２に示した断熱床構造の側壁５−２ｂの部分平面図の一例である。
【００４２】
図５は、図４に示した側壁５−２ｂの５−５線断面図である。
【００４３】
図５より断熱床構造５−２は、側壁５−２ｂで囲まれた空間内に略水平に複数の熱輻射シールド５−２ｅが配置されていることがわかる。
【００４４】
側壁５−２ｂの平面格子形状は六角形が最も望ましい。なぜなら、平面充填ができる三角形、四角形、六角形の中で同面積当たりの辺長が最短になり、伝導面積が最小になるためである。
【００４５】
参考までに、座屈強度σｃｋの数式（１）を以下に示す。平面形状が多角形を構成する鉛直に配置された長辺長としての高さ：ａの複数の側壁の座屈強度は短辺長としての各辺長：ｂに大きく依存するため、数式（１）より六角形が最適となる。
【００４６】
【数１】
2020029873.tif 000003
【００４７】
ｍ＝１（β≦√２）
＝２（√２≦β≦√６）
＝３（√６≦β≦√１２）
＝４（√１２≦β≦√２０）
【００４８】
ここに
σｃｋ：座屈応力（ＭＰａ）
ｋ  ：座屈係数
Ｅ  ：ヤング率（ＭＰａ）
ν  ：ポアソン比
ｔ  ：板厚（厚さ：ｍｍ）
ｂ  ：短辺長（幅：ｍｍ）
ｍ  ：半波数
ａ  ：長辺長（高さ：ｍｍ）
【００４９】
＜比較例＞
図６は、本発明の前提となった断熱床構造５−１の外観斜視部分断面図であり、図７Ａは、図６に示した断熱床構造の平面図であり、図７Ｂは、図７Ａの７Ｂ−７Ｂ線断面図である。
【００５０】
図６に示すように外槽の底板５−１ｄと内槽の底板５−１ａとの間に多数の角形管状の側壁５−１ｆが鉛直に配置されている。図７Ａに示すように側壁５−１ｆが所定の間隔を隔てて配列されている。図７Ｂに示すように高温側となる３００Ｋの外槽の底板５−１ｄから低温側となる２０Ｋの内槽の底板５−１ａ及び側壁５−１ｆに向かって破線で示す輻射による伝熱が発生していることが分かる。また、側壁５−１ｆの長さに比べて角形管の辺長が小さく、かつ側壁５−１ｆが離れて配置されているため、内槽側からの作用力が大きく、屈曲に弱く横揺れに弱いことが分かる。
【００５１】
＜作用効果＞
図２に示す断熱床構造によれば、外槽２の底板５−２ｄから内槽１の底板５−２ａへ伝わる輻射熱は各熱輻射シールド５−２ｅによって遮蔽されるとともに、側壁５−２ｂへ伝わる輻射熱も低減されるため、側壁５−２ｂ断面内の伝導伝熱量が低減する。この熱輻射シールド５−２ｅの枚数が多いほど輻射熱の遮蔽効率及び側壁５−２ｂ断面内の伝導伝熱量の低減効果が向上する。また、側壁５−２ｂが鉛直に配置されていることにより、側壁５−２ｂの上辺と内槽１の底板５−２ａとが線接触するとともに、側壁５−２ｂの下辺と外槽１の底板５−２ｄとが線接触し、かつ側壁５−２ｂが密に配置されているため、横揺れ及び座屈にも耐えることができ、強度が向上する。さらに、側壁の略上下端に板状の構造体を設置することで、側壁の面外座屈を防ぎ、座屈強度を向上させることができる。
【００５２】
断面形状は、図２では正六角形状であるが、本発明はこれに限定されるものではなく、矩形形状、ひし形形状、平行四辺形状、円形形状もしくは三角形状であってもよい。
【００５３】
尚、上述した実施の形態は、本発明の好適な実施の形態の一例を示すものであり、本発明はそれに限定されることなく、その要旨を逸脱しない範囲内において、種々変形実施が可能である。
【産業上の利用分野】
【００５４】
本発明に係る断熱床構造は、工業的に製造することができ、また商取引の対象とすることができるため、経済的価値を有しており、エネルギー産業、建設業をはじめ、各種産業において利用することができる発明である。
【符号の説明】
【００５５】
１  ・・・内槽
２  ・・・外槽
３  ・・・基台
５  ・・・底部構造
５−１、５−２  ・・・断熱床構造
５−２ｂ  ・・・側壁
５−１ａ、５−２ａ  ・・・内槽の底板
５−２ａｃ、５−２ｄｃ、・・・構造体
５−１ｄ、５−２ｄ  ・・・外槽の底板
５−２ｅ  ・・・熱輻射シールド
５−２ｆ  ・・・側壁
１０  ・・・極低温タンク
【図１】
2020029873.tif 000004
【図２】
2020029873.tif 000005
【図３】
2020029873.tif 000006
【図４】
2020029873.tif 000007
【図５】
2020029873.tif 000008
【図６】
2020029873.tif 000009
【図７Ａ】
2020029873.tif 000010
【図７Ｂ】
2020029873.tif 000011